(57)【要約】【課題】  開示の基地局制御装置は、特定ユーザ端末が利用可能な基地局の省電力化を実現する。【解決手段】  基地局制御装置は、第１の基地局と前記第１の基地局の配下に含まれ特定ユーザ端末が利用可能な第２の基地局とを有する無線通信システムにおいて、前記第２の基地局及び交換局に接続され、前記第２の基地局の電源がオンかオフかを示す電源状態を前記第２の基地局から取得する電源状態取得部と、前記交換局から前記特定ユーザ端末による前記第２の基地局の利用状況を取得する利用状況取得部と、前記電源状態及び前記利用状況に基づき前記第２の基地局の電源のオン及びオフを制御する制御部と、を有する。【選択図】  図８
2012114858.tif 000002
【特許請求の範囲】
【請求項１】
第１の基地局と前記第１の基地局の配下に含まれ特定ユーザ端末が利用可能な第２の基地局とを有する無線通信システムにおいて、前記第２の基地局及び交換局に接続される基地局制御装置であって、
前記第２の基地局の電源がオンかオフかを示す電源状態を前記第２の基地局から取得する電源状態取得部と、
前記交換局から前記特定ユーザ端末による前記第２の基地局の利用状況を取得する利用状況取得部と、
前記電源状態及び前記利用状況に基づき前記第２の基地局の電源のオン及びオフを制御する制御部と、
を有する基地局制御装置。
【請求項２】
前記利用状況が、前記特定ユーザ端末が前記第２の基地局を介して第１の所定期間内に時間閾値以上の通話を行ったこと、前記特定ユーザ端末が前記第２の基地局を介して第２の所定期間内に通信量閾値以上のデータ通信を行ったことの少なくとも一方を示す場合に、前記制御部は前記電源をオンに切り替えるか又はオンのまま維持する、
ことを特徴とする請求項１に記載の基地局制御装置。
【請求項３】
前記交換局から前記特定ユーザ端末について前記第２の基地局の在圏情報及び前記第１の基地局の在圏情報を取得する在圏情報取得部、
を更に有し、
前記制御部は、前記第２の基地局の在圏情報が前記特定ユーザ端末は前記第２の基地局の圏内にいないと示し、且つ前記第１の基地局の在圏情報が前記特定ユーザ端末は前記第１の基地局の圏内にいないと示す場合に、前記第２の基地局の電源をオフに切り替えるか又はオフのまま維持する、
ことを特徴とする請求項１又は２に記載の基地局制御装置。
【請求項４】
前記特定ユーザ端末の位置を取得する位置取得部、
を更に有し、
前記制御部は、前記特定ユーザ端末の位置が前記第２の基地局から所定の距離内でない場合に、前記電源をオフに切り替えるか又はオフのまま維持する、
ことを特徴とする請求項１乃至３の何れか一項に記載の基地局制御装置。
【請求項５】
前記特定ユーザ端末の位置は、前記特定ユーザ端末によりＧＰＳ機能を用いて測定されるか、前記特定ユーザ端末を収容する第１の基地局により測定される、
ことを特徴とする請求項４に記載の基地局制御装置。
【請求項６】
前記特定ユーザ端末が前記第１の基地局から前記第２の基地局へのハンドオーバに失敗した位置を取得するハンドオーバ履歴取得部、
を更に有し、
前記ハンドオーバに失敗した位置にいる場合には、前記制御部は前記電源をオンに切り替えることを禁止する、
ことを特徴とする請求項１乃至５の何れか一項に記載の基地局制御装置。
【請求項７】
第１の基地局と前記第１の基地局の配下に含まれ特定ユーザ端末が利用可能な第２の基地局とを有する無線通信システムにおいて、前記第２の基地局の電源のオン及びオフを制御する方法であって、
前記第２の基地局は、基地局制御装置及び交換局に接続され、
前記基地局制御装置は、電源状態取得部と、利用状況取得部と、制御部とを有し、
前記方法は、
前記電源状態取得部が前記第２の基地局の電源がオンかオフかを示す電源状態を前記第２の基地局から取得し、
前記利用状況取得部が前記交換局から前記特定ユーザ端末による前記第２の基地局の利用状況を取得し、
前記制御部が前記電源状態及び前記利用状況に基づき前記第２の基地局の電源のオン及びオフを制御する、
ことを特徴とする方法。
【請求項８】
第１の基地局と前記第１の基地局の配下に含まれ特定ユーザ端末が利用可能な第２の基地局とを有する無線通信システムにおいて、交換局及び基地局制御装置に接続された前記第２の基地局であって、
前記第２の基地局の電源がオンかオフかを示す電源状態を管理する管理部と、
前記基地局制御装置からの前記電源状態に関する問い合わせを受信する受信部と、
前記問い合わせに応じて前記電源状態を前記基地局制御装置へ送信する送信部と、
を有し、
前記受信部は、前記基地局制御装置が前記電源状態及び前記交換局から取得した前記特定ユーザ端末による前記第２の基地局の利用状況に基づき決定した前記第２の基地局の電源のオン及びオフを制御する命令を受信し、
前記管理部は、前記命令に従って前記電源をオン又はオフに切り替える、
ことを特徴とする基地局。
【発明の詳細な説明】
【技術分野】
【０００１】
本発明は、無線通信システムの基地局制御装置及びその方法並びに基地局に関する。
【背景技術】
【０００２】
無線通信システムで使用される基地局として、カバーエリア（セル半径）が数十メートル程度とされる極めて小規模な基地局が提案されている。このような小規模な基地局によって形成されるセルは、「フェムトセル」と呼ばれている。フェムトセルのセル半径は、一般に「マクロセル」と呼ばれているセル半径が数ｋｍ〜１０ｋｍ程度のセルと比べて極めて小さい。
【０００３】
以下では、フェムトセルを形成する小規模な基地局を「フェムトセル基地局」、マクロセルを形成する基地局を「マクロセル基地局」と呼ぶ。
【０００４】
なお、基地局と、前記基地局と通信を行うことにより他者との通信を行う移動局とからなる通信システムにおいて、前記移動局は、制御情報の送信開始を要求する送信要求信号を送信し、前記基地局は、前記送信要求信号を受信することにより前記制御情報の送信を開始し、予め定められた送信停止条件を満たすに至ったときに前記制御情報の送信を停止することを特徴とする通信システムが知られている（特許文献１参照）。
【０００５】
また、第１のセルを形成して、前記第１のセル内に在圏する移動局との無線通信を行なう第１の基地局と、第２のセルを形成して、前記第２のセル内に在圏する移動局との無線通信を行なう第２の基地局とを備える無線通信システムであって、前記第２のセル内の移動局の在圏状況に基づいて、前記第１の基地局の無線信号出力が開始又は停止される無線通信システムが知られている（特許文献２参照）。
【先行技術文献】
【特許文献】
【０００６】
【特許文献１】特開平１０−０２３５１９号公報
【特許文献２】特開２００９−１５９３５５号公報
【発明の概要】
【発明が解決しようとする課題】
【０００７】
Ｈｏｍｅ  ＮＢ（Home  Node  B：ＨＮＢ）及びＨｏｍｅ  ｅＮｏｄｅＢ（Home  evolved  Node  B：ＨｅＮＢ）に関しては様々な運用形態があるが、その１つとして特に家庭に設置された場合には、その家族の端末からのアクセスのみを許容するという使用形態が考えられる。このような、使用できる加入者を限定したＨＮＢ及びＨｅＮＢにおいては、長時間に渡り、そのカバレッジエリアに加入者が全く存在しない場合が生じうる。しかしながら、従来の通信システムでは、このような場合にもＨＮＢ及びＨｅＮＢの電源をオフに切り替えることができず、電力を無駄に消費してしまうという問題があった。
【０００８】
開示の基地局制御装置は、特定ユーザ端末が利用可能な基地局の省電力化を実現することを目的とする。
【課題を解決するための手段】
【０００９】
基地局制御装置は、第１の基地局と前記第１の基地局の配下に含まれ特定ユーザ端末が利用可能な第２の基地局とを有する無線通信システムにおいて、前記第２の基地局及び交換局に接続され、前記第２の基地局の電源がオンかオフかを示す電源状態を前記第２の基地局から取得する電源状態取得部と、前記交換局から前記特定ユーザ端末による前記第２の基地局の利用状況を取得する利用状況取得部と、前記電源状態及び前記利用状況に基づき前記第２の基地局の電源のオン及びオフを制御する制御部と、を有する。
【発明の効果】
【００１０】
本実施形態によれば、特定ユーザ端末が利用可能な基地局の省電力化を実現することができる。
【図面の簡単な説明】
【００１１】
【図１】３ＧモバイルのＵＭＴＳネットワークの構成例を示す。
【図２】ＬＴＥモバイルのＥＳＰネットワークの構成例を示す。
【図３】無線通信システムの一実施形態の動作概要を説明する図である。
【図４】基地局制御装置の一実施形態の構成例である。
【図５Ａ】基地局制御装置に格納されるユーザ端末管理テーブルの一例である。
【図５Ｂ】基地局制御装置に格納されるフェムトセル管理テーブルの一例である。
【図５Ｃ】基地局制御装置に格納される電源状態管理テーブルの一例である。
【図５Ｄ】基地局制御装置に格納されるハンドオーバ履歴テーブルの一例である。
【図５Ｅ】基地局制御装置に格納される利用状況テーブルの一例である。
【図５Ｆ】基地局制御装置に格納されるパラメータ管理テーブルの一例である。
【図５Ｇ】基地局制御装置に格納される在圏情報テーブルの一例である。
【図５Ｈ】基地局制御装置に格納される位置情報テーブルの一例である。
【図６】フェムトセル基地局の一実施形態の構成例である。
【図７】フェムトセル基地局の電源管理部の一実施形態の構成例である。
【図８】フェムトセル基地局の電源をオフに切り替える処理の一実施形態のフローチャートである。
【図９】フェムトセル基地局の電源をオンに切り替える処理の一実施形態のフローチャートである。
【発明を実施するための形態】
【００１２】
以下、図面に基づいて実施形態について説明する。
【００１３】
＜ネットワーク構成＞
先ず、本実施形態の基地局制御装置が適用されうる無線通信システムの構成例について説明する。
【００１４】
図１、２は本実施形態の基地局制御装置が適用されうる無線通信システムの構成例を示す。
【００１５】
図１は、３ＧモバイルのＵＭＴＳ（Universal  Mobile  Telecommunications  System）ネットワークの構成図を示す。ＵＭＴＳネットワークは、コア・ネットワーク（ＣＮ）１００、公衆電話交換回線（Public  Switched  Telephone  Network：ＰＳＴＮ）網１０２、インターネット（ＩＰ）網１０４、アクセス・ネットワーク（Radio  Access  Network：ＲＡＮ）２００、ユーザ端末（User  Equipment：ＵＥ）３００を有する。
【００１６】
コア・ネットワーク１００は、Ｈｏｍｅ  ＮｏｄｅＢゲートウェイ（Home  Node  B  Gateway：ＨＮＢＧＷ）１１０、交換局１６０、ホーム・ロケーション・レジスタ（Home  Location  Register：ＨＬＲ）１８０を有する。交換局１６０は、回線交換部としてのＭＳＣ（Mobile  Switching  Center）１６２及びＧＭＳＣ（Gateway  MSC）１６４、並びにパケット交換部としてのＳＧＳＮ（Serving  GPRS  Support  Node）１６６及びＧＧＳＮ（Gateway  GPRS  Support  Node）１６８を有する。
【００１７】
アクセス・ネットワーク（Radio  Access  Network：ＲＡＮ）２００は、Ｈｏｍｅ  ＮｏｄｅＢ（ＨＮＢ）２１０、並びにＮｏｄｅＢ（ＮＢ）２２０及び無線ネットワーク制御装置（Radio  Network  Controller：ＲＮＣ）２３０を有する。上述の構成要素の各部は当業者に良く知られているので、本願明細書では詳細な説明を省略する。
【００１８】
実施形態の基地局制御装置は、ＨＮＢＧＷ１１０に組み込まれるか、ＨＮＢＧＷ１１０と同様の位置に配置された別個の装置により実施されてもよい。また、実施形態の基地局は、ＨＮＢ２１０に組み込まれるか、ＨＮＢ２１０に接続された別個の装置により実施されてもよい。
【００１９】
図２は、ＬＴＥモバイルのＥＳＰ（Evolved  Packet  System）ネットワークの構成例を示す。ＥＳＰネットワークは、コア・ネットワーク（ＣＮ）１００、インターネット（ＩＰ）網１０４、アクセス・ネットワーク（ＲＡＮ）２００、ユーザ端末（ＵＥ）３００を有する。
【００２０】
コア・ネットワーク１００は、Ｈｏｍｅ  ｅＮｏｄｅＢゲートウェイ（Home  evolved  Node  B  Gateway：ＨｅＮＢＧＷ）１１０ｅ、交換局１６０を有する。交換局１６０は、パケット交換部（ＳＧＳＮ）１６６、加入者情報管理サーバ（Home  Subscriber  Server：ＨＳＳ）１７０、移動管理装置（Mobility  Management  Entity：ＭＭＥ）１７２、ＰＤＮゲートウェイ（packet  data  network  Gateway：Ｐ−ＧＷ）１７４、及びサービング・ゲートウェイ（Serving  Gateway：Ｓ−ＧＷ）１７６を有する。
【００２１】
アクセス・ネットワーク（ＲＡＮ）２００は、ＨｅＮＢ２１０ｅ、及びｅＮｏｄｅＢ２２０ｅを有する。上述の構成要素の各部は当業者に良く知られているので、本願明細書では詳細な説明を省略する。図１、２に示されたコア・ネットワーク１００内の全て又は幾つかの構成要素は、単一の又は個別のハードウェアで実現されてもよい。
【００２２】
実施形態の基地局制御装置は、ＨｅＮＢＧＷ１１０ｅに組み込まれるか、ＨｅＮＢＧＷ１１０ｅと同様の位置に配置された別個の装置により実施されてもよい。また、実施形態の基地局は、ＨｅＮＢ２１０ｅに組み込まれるか、ＨｅＮＢ２１０に接続された別個の装置により実施されてもよい。
【００２３】
＜動作概要＞
次に、無線通信システムの一実施形態の動作概要を説明する。
【００２４】
図３は、無線通信システムの一実施形態の動作概要を説明するための図を示す。図３に示されるように、コア・ネットワーク１００内に配置された基地局制御装置１１０は、ＢＢ（Broad  Band、ブロードバンド）回線を介してホームルータ及びフェムトセル基地局２１０に接続される。また、基地局制御装置１１０は、専用回線を介してマクロセル基地局４００に接続される。ユーザ端末３００はフェムトセル及びマクロセルの一方又は両方に在圏する。
【００２５】
基地局制御装置１１０は、ＢＢ回線を介してフェムトセル基地局２１０にフェムトセル基地局２１０の電源がオンかオフかを示す電源状態を問い合わせる。基地局制御装置１１０からの問い合わせに応じて、フェムトセル基地局２１０はＢＢ回線を介して自身の電源状態を基地局制御装置１１０へ送信する。
【００２６】
また、基地局制御装置１１０は、図１、２に示された交換局１６０からユーザ端末３０００によるフェムトセル基地局２１０の利用状況を取得する。例えば、利用状況は、フェムトセル基地局２１０に登録されたユーザ端末（ＵＥ）３００が、フェムトセル基地局２１０を介して過去又は現在に通話又はデータ通信を行っているかを示す情報であってよい。
【００２７】
このようなフェムトセル基地局２１０の電源状態及び利用状況に基づき、基地局制御装置１１０はＢＢ回線を介してフェムトセル基地局２１０の電源のオン又はオフを制御する。
【００２８】
ユーザ端末３００がフェムトセル基地局２１０を使用する可能性が高い場合には、フェムトセル基地局２１０の電源をオンに切り替える又はオンのままにしておくことが望ましい。例えばユーザ端末３００がフェムトセル基地局２１０を介して最近通話又はデータ通信をした場合には、近い将来にもフェムトセル基地局２１０を使用する可能性が高いといえる。
【００２９】
反対に、ユーザ端末３００がフェムトセル基地局２１０を使用する可能性が低い場合には、フェムトセル基地局２１０の電源をオフに切り替える又はオフのままにしておくことが望ましい。
【００３０】
このように、フェムトセル基地局２１０の電源をオン又はオフに制御することにより、フェムトセル基地局２１０の省電力化が達成される。
【００３１】
更に、基地局制御装置１１０は、ユーザ端末３００とフェムトセル基地局２１０の距離に基づきフェムトセル基地局２１０の電源のオン又はオフを制御してもよい。例えば、ユーザ端末がフェムトセルの境界近辺にいるときは、頻繁にフェムトセルから出たり入ったりするか、又は近い将来にフェムトセルに入る可能性が高い。このような場合にフェムトセル基地局２１０の電源を頻繁に切り替えることを防ぐため、又は近い将来に起こり得る利用に備えて、フェムトセル基地局２１０の電源をオンに切り替える又はオンのままにしておくことが望ましい。
【００３２】
これを達成するために、基地局制御装置１１０は、ユーザ端末３００の位置とフェムトセル基地局２１０の位置から両者の距離を算出し、前記距離が所定値以下であればフェムトセル基地局２１０の電源をオンに切り替えるかオンのままにしておくのが望ましい。ユーザ端末３００の位置は、ユーザ端末３００によりＧＰＳ（Global  Positioning  System、全地球測位システム）衛星５００からの信号に基づきＧＰＳ機能を用いて測定され、ＢＢ回線を介して基地局制御装置１１０へ送信されてもよい。或いは、ユーザ端末３００の位置は、マクロセル基地局４００により測定され、専用回線を介して基地局制御装置１１０へ送信されてもよい。
【００３３】
＜基地局制御装置の構成＞
次に、基地局制御装置の一実施形態の構成例を説明する。
【００３４】
図４は、基地局制御装置１１０の一実施形態の構成例を示す。基地局制御装置１１０は、電源状態取得部１１２、在圏情報取得部１１４、利用状況取得部１１６、ハンドオーバ履歴取得部１２４、位置取得部１２６、データベース（ＤＢ）１２８及び制御部１３０を有する。利用状況取得部１１６は、通話時間取得部１１８、データ通信量取得部１２０及び現状取得部１２２を有する。
【００３５】
各取得部は取得した情報をそれぞれ、データベース（ＤＢ）１２８に格納する。制御部１３０は、ＤＢ１２８に格納された情報に基づきフェムトセル基地局２１０の電源のオン又はオフを制御する。
【００３６】
電源状態取得部１１２は、フェムトセル基地局２１０にフェムトセル基地局２１０の電源がオンかオフかを示す電源状態を問い合わせ、フェムトセル基地局２１０から電源状態を取得する。電源状態は、フェムトセル基地局２１０の電源がオンかオフかを表す。電源状態の問い合わせは所定の時間間隔で行われる。この時間間隔はネットワーク管理者又はユーザにより設定され、ＤＢ１２８に格納されてよい。
【００３７】
在圏情報取得部１１４は、ユーザ端末３００がフェムトセル基地局２１０の圏内にいるか否かを示すフェムトセル在圏情報、及びユーザ端末３００がマクロセル基地局４００の圏内にいるか否かを示すマクロセル在圏情報を交換局１６０から取得する。
【００３８】
利用状況取得部１１６は、ユーザ端末３００によるフェムトセル基地局２１０の利用状況を取得する。詳細には、通話時間取得部１１８は、過去の所定期間内に行われた通話の時間長を交換局１６０から取得する。この過去の所定期間はネットワーク管理者又はユーザにより設定され、ＤＢ１２８に格納されてよい。また、例えば、所定期間及び通話の時間長は時間数、分数又は秒数により表されてもよい。
【００３９】
データ通信量取得部１２０は、過去の所定期間内に行われたデータ通信量を交換局１６０から取得する。この過去の所定期間は、ネットワーク管理者又はユーザにより設定されＤＢ１２８に格納されてよく、時間数、分数又は秒数により表されてもよい。また、例えば、データ通信量はパケット数、バイト数又はビット数により表されてもよい。
【００４０】
現状取得部１２２は、ユーザ端末３００がフェムトセル基地局２１０を利用して現在通話又はデータ通信を行っているか否かを交換局１６０から取得する。
【００４１】
ハンドオーバ履歴取得部１２４は、マクロセル基地局４００からフェムトセル基地局２１０への過去に行われたハンドオーバのうち、ハンドオーバの失敗した位置を交換局１６０から取得する。ハンドオーバの失敗した位置は、ハンドオーバ（ＨＯ）失敗位置としてＤＢ１２８に格納される。
【００４２】
位置取得部１２６は、ユーザ端末３００の位置をユーザ端末３００又はマクロセル基地局４００から取得する。ユーザ端末３００の位置は緯度及び経度により表されてよい。ユーザ端末３００がＧＰＳ機能を有する場合には、位置取得部１２６はユーザ端末３００から位置を取得する。ユーザ端末３００がＧＰＳ機能を有さない場合、又はユーザ端末３００がＧＰＳ衛星５００からの電波を受信できない場合には、位置取得部１２６はマクロセル基地局４００から位置を取得してもよい。
【００４３】
ＤＢ１２８は、電源状態取得部１１２、在圏情報取得部１１４、利用状況取得部１１６、ハンドオーバ履歴取得部１２４、及び位置取得部１２６が取得した電源状態、在圏情報、利用状況、ＨＯ失敗位置、及びユーザ端末３００の位置を格納する。更に、ＤＢ１２８はフェムトセル基地局２１０の電源を制御するために必要なパラメータも格納する。パラメータについては後述する。
【００４４】
図５Ａ乃至５Ｈに基地局制御装置１１０のＤＢ１２８に格納される各種テーブルの例を示す。図５Ａ乃至５Ｈを通じて同一の情報には同一の番号が付与される。同一の情報については重複する説明を省略する。
【００４５】
図５Ａは基地局制御装置１１０に格納されるユーザ端末管理テーブルの一例を示す。ユーザ端末管理テーブルは、フェムトセルＩＤ７００及びユーザＩＤ７１０を有する。フェムトセルＩＤ７００はフェムトセル基地局２１０を識別する識別情報（ＩＤ）であり、ユーザＩＤ７１０は前記フェムトセル基地局２１０を利用可能なユーザ端末３００を識別する識別情報（ＩＤ）である。これらの情報はフェムトセル基地局２１０から取得してもよく、又はネットワーク管理者若しくはユーザにより設定されてもよい。
【００４６】
ユーザ端末管理テーブルにより、フェムトセル基地局２１０がどのユーザ端末３００により利用可能であるかが分かる。ユーザ端末管理テーブルは、基地局制御装置１１０が電源の制御を行うフェムトセル基地局２１０の数だけ作成されてもよい。
【００４７】
図５Ｂは基地局制御装置１１０に格納されるフェムトセル管理テーブルの一例を示す。フェムトセル管理テーブルは、フェムトセルＩＤ７００、マクロセルＩＤ７２０及びフェムトセル位置７３０を有する。マクロセルＩＤ７２０はマクロセル基地局４００を識別する識別情報（ＩＤ）である。マクロセルＩＤ７２０はマクロセル基地局４００から取得するか又はネットワーク管理者若しくはユーザにより設定されてもよい。フェムトセル位置７３０はフェムトセル基地局２１０の位置を緯度及び経度により表す。フェムトセル位置７３０はフェムトセル基地局２１０から取得するか又はネットワーク管理者若しくはユーザにより設定されてもよい。
【００４８】
フェムトセル管理テーブルにより、フェムトセル基地局２１０がどのマクロセルによりカバーされているか、つまりフェムトセル基地局２１０がどのマクロセル基地局４００の圏内に属するかが分かる。本テーブルのフェムトセルとマクロセルとの間ではハンドオーバが行われうる。フェムトセル位置７３０は、後述するようにフェムトセル基地局２１０とユーザ端末３００との間の距離を算出するために用いられる。
【００４９】
図５Ｃは基地局制御装置１１０に格納される電源状態管理テーブルの一例を示す。電源状態管理テーブルは、フェムトセルＩＤ７００及びフェムトセル電源状態７４０を有する。フェムトセル電源状態７４０は、フェムトセル基地局２１０の電源がオンかオフかを表す。フェムトセル電源状態７４０は、電源状態取得部１１２によりフェムトセル基地局２１０から取得される。
【００５０】
電源状態管理テーブルにより、フェムトセル基地局２１０の電源がオンであるか又はオフであるかが分かる。これに基づき、基地局制御装置１１０がフェムトセル基地局２１０の電源をオンに切り替える処理を実行するのか又はオフに切り替える処理を実行するのかが判定される。
【００５１】
図５Ｄは基地局制御装置１１０に格納されるハンドオーバ履歴テーブルの一例を示す。ハンドオーバ履歴テーブルは、フェムトセルＩＤ７００、ハンドオーバ（ＨＯ）失敗時刻７５０、ＨＯ失敗位置７６０及びＨＯ失敗位置精度７７０を有する。ＨＯ失敗時刻７５０はユーザ端末３００がマクロセル基地局からフェムトセル基地局２１０へのＨＯに失敗した時刻を表し、ＨＯ失敗位置７６０はＨＯに失敗した位置を緯度及び経度により表し、ＨＯ失敗位置精度７７０はＨＯ失敗位置７６０の精度を表す。これらの情報はハンドオーバ履歴取得部１２４により交換局から取得される。本テーブルは、過去１週間、１日若しくは６時間のように所定期間内の失敗の履歴又は１０回のように所定回数の失敗の履歴を格納してもよい。
【００５２】
ハンドオーバ履歴テーブルにより、フェムトセル基地局２１０のフェムトセルのどの位置で過去にハンドオーバが失敗したかが分かる。ユーザ端末３００が本テーブルに格納された位置にいるときに、フェムトセル基地局２１０へのハンドオーバを回避し、フェムトセル基地局２１０の電源をオンに切り替えることを禁止する。これにより、ハンドオーバに失敗する可能性のある位置でもマクロセル基地局４００により通話又はデータ通信を維持する可能性を高めることができる。
【００５３】
図５Ｅは基地局制御装置１１０に格納される利用状況テーブルの一例を示す。利用状況管理テーブルは、ユーザＩＤ７１０、通話時間７９０及びデータ通信量８００を有する。通話時間７９０は、後述する図５Ｆの通話期間８６０により指定された期間に行われた通話の合計時間を表す。通話時間７９０は、通話時間取得部１１８により交換局１６０から取得される。データ通信量８００は、後述する図５Ｆのデータ通信期間８８０により指定された期間に行われたデータ通信の量を表す。データ通信量８００は、データ通信量取得部１２０により交換局１６０から取得される。
【００５４】
利用状況管理テーブルにより、どのユーザ端末３００が指定期間にどれだけの通話又はデータ通信を行ったかが分かる。過去に行われた通話時間又はデータ通信量に基づき将来に通話又はデータ通信が行われる可能性を判断し、フェムトセル基地局２１０の電源をオン又はオフにすべきかを決定することができる。
【００５５】
図５Ｆは基地局制御装置１１０に格納されるパラメータ管理テーブルの一例を示す。パラメータ管理テーブルは、フェムトセルＩＤ７００、期間８１０、制御有無８２０、周期８３０、距離閾値８４０、通話時間閾値８５０、通話期間８６０、データ通信量閾値８７０、データ通信期間８８０、ＨＯ更新周期８９０及び位置閾値９００を有する。
【００５６】
期間８１０は、パラメータ管理テーブルに格納されたパラメータ８２０−９００が有効である期間を指定する。例えば、開始時刻に９：００、終了時刻に１８：００を指定することができる。複数の期間に異なるパラメータを適用する場合、又は複数の別個の期間に同一のパラメータを適用する場合には、期間毎にパラメータ管理テーブルを作成してもよい。
【００５７】
制御有無８２０は、期間８１０で指定された期間にフェムトセル基地局２１０の電源のオン及びオフを制御するか否かを指定する。「監視あり」の場合にはフェムトセル基地局２１０の電源のオン及びオフの制御を行い、「監視なし」の場合にはフェムトセル基地局２１０の電源のオン及びオフの制御を行わない。「監視なし」の場合には、フェムトセル基地局２１０の電源を常にオンにするか又は常にオフにするかを更に指定できる。
【００５８】
周期８３０は、フェムトセル基地局２１０にフェムトセル基地局２１０の電源がオンかオフかを示す電源状態を問い合わせる周期を指定する。
【００５９】
距離閾値８４０は、ユーザ端末３００とフェムトセル基地局２１０との間の距離がこの値より大きいときにフェムトセル基地局２１０の電源をオフに切り替える又はオフのまま維持すると判断するための基準値である。
【００６０】
通話時間閾値８５０は、図５Ｅの通話時間７９０の値がこの値より大きいとき、フェムトセル基地局２１０の電源をオンに切り替える又はオンのまま維持すると判断するための基準値である。本例では、通話期間８６０により指定された期間「３０分」内に計測され図５Ｅの通話時間７９０に格納された値「３分」は、通話時間閾値８５０により指定された閾値「５分」より短いので、フェムトセル基地局２１０の電源はオフに切り替えられるか又はオフのまま維持されるよう制御される。
【００６１】
通話期間８６０は、通話時間７９０を計測すべき期間を指定する。例えば通話期間８６０が３０分の場合、現在から過去３０分前までの通話時間の合計値が通話時間７９０に格納される。
【００６２】
データ通信量閾値８７０は、図５Ｅのデータ通信量８００の値がこの値より大きいとき、フェムトセル基地局２１０の電源をオンに切り替える又はオンのまま維持すると判断するための基準値である。本例では、データ通信期間８８０により指定された期間「３０分」内に計測され図５Ｅのデータ通信量閾値８７０に格納された値「２．３ＭＢ」は、データ通信量閾値８７０により設定された閾値「１ＭＢ」より多いので、フェムトセル基地局２１０の電源はオンに切り替えられるか又はオンのまま維持されるよう制御される。
【００６３】
データ通信期間８８０は、データ通信量８００を計測すべき期間を指定する。例えばデータ通信期間８８０が３０分の場合、現在から過去３０分前までのデータ通信量の合計値がデータ通信量８００に格納される。
【００６４】
ＨＯ更新周期８９０は、図５ＤのＨＯ失敗時刻７５０及びＨＯ失敗位置７６０の有効期間を指定する。ＨＯ更新周期８９０で指定された期間を過ぎたＨＯ失敗時刻７５０及びＨＯ失敗位置７６０はクリアされる。
【００６５】
位置閾値９００は、同一のＨＯ失敗位置７６０であると判断される距離の閾値を指定する。図５Ｈに示すＵＥ位置９３０とＨＯ失敗位置７６０との距離が位置閾値９００よりも小さい場合には、両者は同一の位置であると判断される。
【００６６】
パラメータ管理テーブルにより、どのような期間にどのような基準に従ってフェムトセル基地局２１０の電源を制御すべきかが指定される。複数の期間に異なる基準を適用する場合には、複数のパラメータ管理テーブルを作成する。
【００６７】
図５Ｇは基地局制御装置１１０に格納される在圏情報テーブルの一例を示す。在圏情報テーブルは、ユーザＩＤ７１０、マクロセルＩＤ７２０、フェムトセルＩＤ７００、マクロセル在圏情報９１０及びフェムトセル在圏情報９２０を有する。
【００６８】
マクロセル在圏情報９１０は、ユーザＩＤ７１０を有するユーザ端末３００がマクロセルＩＤ７２０を有するマクロセルの圏内又は圏外にいることを示す。フェムトセル在圏情報９２０は、ユーザＩＤ７１０を有するユーザ端末３００がフェムトセルＩＤ７００を有するフェムトセルの圏内又は圏外にいることを示す。これらの情報は、在圏情報取得部１１４により交換局１６０から取得される。
【００６９】
在圏情報テーブルにより、フェムトセルＩＤ７００を有するフェムトセル基地局２１０及びマクロセルＩＤ７２０を有するマクロセル基地局４００の圏内にユーザ端末３００がいるか否かが分かる。
【００７０】
図５Ｈは基地局制御装置１１０に格納される位置情報テーブルの一例を示す。位置情報テーブルは、ユーザＩＤ７１０、ＵＥ位置９３０及び精度９４０を有する。ＵＥ位置９３０は、ユーザ端末３００の位置を緯度及び経度により表す。ＵＥ位置９３０は、ユーザ端末３００がＧＰＳ機能を有する場合にはユーザ端末３００により測定され、ユーザ端末３００がＧＰＳ機能を有さない場合又はＧＰＳ衛星５００からの電波を受信できない場合にはマクロセル基地局４００により測定される。ＵＥ位置９３０は、位置取得部１２６によりユーザ端末３００又はマクロセル基地局４００から取得される。精度９４０は、ＵＥ位置９３０の精度を表す。
【００７１】
位置情報テーブルにより、ユーザ端末３００の位置が精度９４０で特定される。ＵＥ位置９３０はフェムトセル位置７３０とともに、ユーザ端末３００とフェムトセル基地局２１０との間の距離を求めるために用いられる。
【００７２】
＜フェムトセル基地局の構成及び動作＞
次に、フェムトセル基地局２１０の構成及び動作を説明する。
【００７３】
図６は、フェムトセル基地局２１０の一実施形態の構成例を示す。フェムトセル基地局２１０は、電源管理部２１２、電源２４１、無線（ＲＦ）通信部２４２、ブロードバンド（ＢＢ）通信部２４３、アンテナ２４４及び制御部２４５を有する。
【００７４】
ＲＦ通信部２４２はアンテナ２４４を介してユーザ端末３００と無線通信を行う。ＢＢ通信部２４３はＢＢ回線を介して基地局制御装置１１０とブロードバンド通信を行う。制御部２４５はフェムトセル基地局２１０の動作を制御する。電源管理部２１２は、実施形態に従って電源２４１のオン又はオフを制御する。電源管理部２１２の詳細は図７を参照して説明される。
【００７５】
図７は、フェムトセル基地局２１０の電源管理部２１２の一実施形態の構成例を示す。電源管理部２１２は、管理部２１４、送信部２１６及び受信部２１８を有する。
【００７６】
管理部２１４は、電源２４１が現在オンであるかオフであるかを監視する。受信部２１８は、基地局制御装置１１０の電源状態取得部１１２からフェムトセル基地局２１０の電源２４１がオンかオフかを示す電源状態についての問い合わせを受信し、管理部２１４に電源状態を通知する。管理部２１４は前記問い合わせに応じて、電源状態を送信部２１６へ通知する。送信部２１６は、ＢＢ回線を介して電源状態を基地局制御装置１１０の電源状態取得部１１２へ送信する。
【００７７】
更に、受信部２１８は、基地局制御装置１１０の制御部１３０からフェムトセル基地局２１０の電源２４１をオン若しくはオフに切り替える命令、又はオン若しくはオフに維持する命令を受信し、管理部２１４に通知する。管理部２１４は前記命令に応じて、フェムトセル基地局２１０の電源２４１をオン又はオフにするよう制御する。
【００７８】
＜フェムトセル基地局の電源をオフに切り替える処理のフローチャート＞
次に、フェムトセル基地局２１０の電源２４１をオフに切り替える処理の一実施形態のフローチャートを説明する。
【００７９】
図８は、基地局制御装置１１０がフェムトセル基地局２１０の電源２４１をオフに切り替える処理の一実施形態のフローチャートを示す。図８に示す処理は、図５Ｆに示されたパラメータ管理テーブルに設定された値に従い、基地局制御装置１１０の制御部１３０の制御下で基地局制御装置１１０の各構成要素により実行される。
【００８０】
処理はステップＳ８０２で開始する。ステップＳ８０２で、基地局制御装置１１０の電源状態取得部１１２は、フェムトセル基地局２１０の電源２４１がオンであるかオフであるかをフェムトセル基地局２１０の電源管理部２１２に問い合わせる。電源状態取得部１１２は、電源管理部２１２からの前記問い合わせに対する応答として電源２４１の電源状態を取得する。この問い合わせは図５Ｆに示すパラメータ管理テーブルの期間８１０の間、周期８３０で行われる。取得された電源状態は図５Ｃに示す電源状態管理テーブルのフェムトセル電源状態７４０に格納される。基地局制御装置１１０の制御部１３０は、格納されたフェムトセル電源状態７４０に基づきフェムトセル基地局２１０の電源２４１がオンであるかオフであるかを判定する。ステップＳ８０２で電源状態がオフであった場合には処理は後述する図９のステップＳ９０２へ進む。ステップＳ８０２で電源状態がオンであった場合には処理はステップＳ８０４へ進む。
【００８１】
ステップＳ８０４で、基地局制御装置１１０の在圏情報取得部１１４は、ユーザ端末３００がフェムトセル基地局２１０の圏内にいるか否かを交換局１６０から取得する。取得された在圏情報は、図５Ｇに示す在圏情報テーブルのフェムトセル在圏情報９２０に格納される。制御部１３０は、格納された在圏情報に基づきユーザ端末３００がフェムトセルに「在圏」しているか「圏外」かを判定する。ステップＳ８０４で在圏情報が圏内であった場合には、方法はステップＳ８０６へ進み、圏外であった場合にはステップＳ８１４へ進む。
【００８２】
ステップＳ８０６で、基地局制御装置１１０の利用状況取得部１１６に含まれる通話時間取得部１１８は、所定期間内に行われた通話の合計時間長を交換局１６０から取得する。ここで所定期間は図５Ｆに示すパラメータ管理テーブルの通話期間８６０により指定される。取得された合計時間長は、図５Ｅに示す利用状況管理テーブルの通話時間７９０に格納される。制御部１３０は、格納された通話時間７９０を通話時間閾値８５０と比較する。本例では通話時間７９０には３分が格納されており、通話時間閾値８５０には５分が指定されている。通話時間７９０が通話時間閾値８５０と等しいか大きい場合には、処理はステップＳ８０２戻り、再びフェムトセル基地局２１０の電源状態が取得される。この場合には、フェムトセル基地局２１０の電源はオフに切り替えられずオンのまま維持される。本例の場合には通話時間７９０が通話時間閾値８５０よりも小さいので、処理はステップＳ８０８へ進む。
【００８３】
ステップＳ８０８で、基地局制御装置１１０の利用状況取得部１１６に含まれるデータ通信量取得部１２０は、所定期間内に行われたデータ通信の合計量を交換局１６０から取得する。ここで所定期間は図５Ｆに示すパラメータ管理テーブルのデータ通信期間８８０により指定される。本例では３０分が指定されている。取得された合計データ通信量は、図５Ｅに示す利用状況管理テーブルのデータ通信量８００に格納される。制御部１３０は、格納されたデータ通信量８００をデータ通信量閾値８７０と比較する。本例ではデータ通信量８００には２．３Ｍが格納されており、データ通信量閾値８７０には１ＭＢが指定されている。データ通信量８００がデータ通信量閾値８７０と等しいか大きい場合には、方法はステップＳ８０２戻り、再びフェムトセル基地局２１０の電源状態が取得される。この場合には、フェムトセル基地局２１０の電源はオフに切り替えられずオンのまま維持される。データ通信量８００がデータ通信量閾値８７０より小さい場合には、処理はステップＳ８１０へ進む。本例の場合にはデータ通信量８００がデータ通信量閾値８７０よりも大きいので、処理はステップＳ８０２へ進む。
【００８４】
ステップＳ８１０で、基地局制御装置１１０の利用状況取得部１１６に含まれる現状取得部１２２は、ユーザ端末３００がフェムトセル基地局２１０を介して現在通話又はデータ通信中であるか否かを交換局１６０から取得する。取得された結果は、利用状況管理テーブルに適切な項目を設けて格納されるか、現状取得部１２２から制御部１３０へ直接送信されてもよい。制御部１３０は、現状取得部１２２の取得した結果に基づき、ユーザ端末３００がフェムトセル基地局２１０を介して現在通話又はデータ通信中であるか否かを判定する。現在通話又はデータ通信中である場合には、方法はステップＳ８０２戻り、再びフェムトセル基地局２１０の電源状態が取得される。現在通話又はデータ通信中でない場合には、方法はステップＳ８１２へ進む。
【００８５】
ステップＳ８１２で、制御部１３０はフェムトセル基地局２１０の電源２４１をオフに切り替えるため、ＢＢ回線を介してフェムトセル基地局２１０の電源管理部２１２に含まれる受信部２１８へ、電源２４１をオフに切り替える命令を送信する。前記命令を受信した電源管理部２１２は電源２４１をオフに切り替える。電源管理部２１２の動作は図７を参照して上述した通りである。
【００８６】
ステップＳ８１２を実行した後に、処理はステップＳ８０２に戻り、再びフェムトセル基地局２１０の電源状態が取得される。
【００８７】
ステップＳ８０４で在圏情報が圏外であった場合にはステップＳ８１４へ進む。ステップＳ８１４で、基地局制御装置１１０の在圏情報取得部１１４は、ユーザ端末３００がマクロセル基地局４００の圏内にいるか否かを交換局１６０から取得する。取得された在圏情報は、図５Ｇに示す在圏情報テーブルのマクロセル在圏情報９１０に格納される。制御部１３０は、格納されたマクロセル在圏情報９１０に基づき、ユーザ端末３００がマクロセルに「在圏」しているか「圏外」かを判定する。ステップＳ８１４で在圏情報が圏外であった場合にはステップＳ８１２へ進み、上述のように制御部１３０はフェムトセル基地局２１０の電源２４１をオフに切り替える。ステップＳ８１４で在圏情報が圏内であった場合には処理はステップＳ８１６へ進む。
【００８８】
ステップＳ８１６で、基地局制御装置１１０の位置取得部１２６は、ユーザ端末３００又はマクロセル基地局４００からユーザ端末３００の位置を取得する。取得された位置は図５Ｈに示す位置情報テーブルのＵＥ位置９３０に格納される。ユーザ端末３００又はマクロセル基地局４００により位置を測定する方法は、図３を参照して上述した通りである。
【００８９】
制御部１３０は、ＵＥ位置９３０の緯度及び経度と図５Ｂに示すフェムトセル管理テーブルのフェムトセル位置７３０の緯度及び経度とに基づき、ユーザ端末３００とフェムトセル基地局２１０との間の距離を算出する。方法は次にステップＳ８１６へ進む。
【００９０】
ステップＳ８１８で、制御部１３０は、ステップＳ８１６で算出した距離を図５Ｆに示すパラメータ管理テーブルの距離閾値８４０と比較する。制御部１３０が算出した距離は距離閾値８４０と等しいか小さいと判定した場合には、方法はステップＳ８０６へ進み、フェムトセル基地局２１０の電源２４１をオフに切り替えるか否かを決定するフローを続ける。制御部１３０が算出した距離は距離閾値８４０よりも大きいと判定した場合には、処理はステップＳ８１２へ進み、フェムトセル基地局２１０の電源２４１をオフに切り替える。
【００９１】
以上の説明では、第１条件として所定期間内に所定時間長より少ない通話しか行われず且つ所定期間内に所定量より少ないデータ通信しか行われないこと、又は第２条件としてユーザ端末３００がフェムトセルの圏内にいないこと、の一方を満たす場合に電源２４１がオフに切り替えられた。
【００９２】
別の実施形態では、上記第１及び第２条件の両方を満たす場合にのみ電源２４１をオフに切り替えてもよい。
【００９３】
更に別の実施形態では、通話時間の判断（ステップＳ８０６）、データ通信量の判断（ステップＳ８０８）、現在の通話又はデータ通信状況の判断（ステップＳ８１０）及び在圏状況及び距離の判断（ステップＳ８１４−Ｓ８１８）のうちの１又は複数が省略されてもよく、又は順序を入れ替えられてもよい。
【００９４】
また、１つのフェムトセル基地局２１０に複数のユーザ端末３００が登録されている場合には、登録された全てのユーザ端末３００について上記処理を繰り返してもよい。
【００９５】
＜フェムトセル基地局の電源をオンに切り替える処理のフローチャート＞
次に、フェムトセル基地局の電源をオンに切り替える処理の一実施形態のフローチャートを説明する。
【００９６】
図９は、基地局制御装置１１０がフェムトセル基地局２１０の電源２４１をオフに切り替える処理の一実施形態のフローチャートを示す。図９に示す処理は、図５Ｆに示されたパラメータ管理テーブルに設定された値に従い、基地局制御装置１１０の制御部１３０の制御下で基地局制御装置１１０の各構成要素により実行される。
【００９７】
処理はステップＳ９０２で開始する。ステップＳ９０２は、上述の図８のステップＳ８１４と同様である。ステップＳ９０２で在圏情報が圏外であった場合には図８のステップＳ８０２へ進む。ステップＳ９０２で在圏情報が圏内であった場合には処理はステップＳ９０４へ進む。
【００９８】
ステップＳ９０４は、上述の図８のステップＳ８０６と同様である。通話時間７９０が通話時間閾値８５０と等しいか大きい場合には、処理はステップＳ９０６へ進む。本例の場合には通話時間７９０（３分）が通話時間閾値８５０（５分）よりも小さいので、処理はステップＳ９１６へ進む。
【００９９】
ステップＳ９１６は、上述の図８のステップＳ８０８と同様である。データ通信量８００がデータ通信量閾値８７０と等しいか大きい場合には、処理はステップＳ９０６へ進む。データ通信量８００がデータ通信量閾値８７０より小さい場合には、処理は図８のステップＳ８０２へ進む。本例の場合にはデータ通信量８００（２．３ＭＢ）がデータ通信量閾値８７０（１ＭＢ）よりも大きいので、処理はステップＳ９０６へ進む。
【０１００】
ステップＳ９０６は、上述の図８のステップＳ８１６と同様である。処理は次にステップＳ９０８へ進む。
【０１０１】
ステップＳ９０８は、上述の図８のステップＳ８１８と同様である。制御部１３０が算出した距離は距離閾値８４０と等しいか小さいと判定した場合には、処理はステップＳ９１０へ進む。制御部１３０が算出した距離は距離閾値８４０よりも大きいと判定した場合には、処理は図８のステップＳ８０２へ進む。
【０１０２】
ステップＳ９１０で、基地局管理装置１１０のハンドオーバ履歴取得部１２４は、ハンドオーバの失敗した時刻及び位置を交換局１６０から取得する。取得された時刻及び位置は、図５Ｄに示すハンドオーバ履歴テーブルのＨＯ失敗時刻７５０及びＨＯ失敗位置７６０にそれぞれ格納される。制御部１３０は、ＨＯ失敗位置７６０に格納された緯度及び経度を図５Ｈに示す位置情報テーブルのＵＥ位置９３０に格納された緯度及び経度と比較することにより、２つの位置が、図５Ｆに示すパラメータ管理テーブルの位置閾値９００の範囲内で同一か否かを判断する。制御部１３０が、ＨＯ失敗位置７６０とＵＥ位置９３０は同一であると判断した場合には、処理はステップＳ８０２へ進む。この場合、ユーザ端末３００は過去にハンドオーバの失敗した位置にいるので、再びハンドオーバを行った場合に失敗する可能性が高いと考えられる。従って、マクロセルからフェムトセルへのハンドオーバが回避され、フェムトセル基地局２１０の電源２４１はオンに切り替えられることを禁止されオフのまま維持される。制御部１３０が、ＨＯ失敗位置７６０とＵＥ位置９３０は同一でないと判断した場合には、処理はＳ９１２へ進む。
【０１０３】
ステップＳ９１２で、制御部１３０はフェムトセル基地局２１０の電源２４１をオンに切り替えると決定し、ＢＢ回線を介してフェムトセル基地局２１０の電源管理部２１２に含まれる受信部２１８へ、電源２４１をオンに切り替える命令を送信する。前記命令を受信した電源管理部２１２は電源２４１をオンに切り替える。電源管理部２１２の動作は図７を参照して上述した通りである。次に処理はステップＳ９１４へ進む。
【０１０４】
ステップＳ９１４で、基地局制御装置１１０のハンドオーバ履歴取得部１２４は、マクロセルからフェムトセルへのハンドオーバが成功したか否かを交換局１６０から取得する。取得された結果は、ハンドオーバ履歴テーブルに適切な項目を設けて格納されるか、ハンドオーバ履歴取得部１２４から制御部１３０へ直接送信されてもよい。制御部１３０は、ハンドオーバ履歴取得部１２４の取得した結果に基づき、マクロセルからフェムトセルへのハンドオーバが成功したか否かを判定する。成功した場合には処理は図８のステップＳ８０２へ進む。失敗した場合には、処理はステップＳ９１８へ進む。
【０１０５】
ステップＳ９１８で、ハンドオーバの失敗した時刻及び位置は図５Ｄに示すハンドオーバ履歴テーブルのＨＯ失敗時刻７５０及びＨＯ失敗位置７６０にそれぞれ格納される。次に処理はステップＳ９２０へ進む。
【０１０６】
ステップＳ９２０は、上述の図８のステップＳ８１２と同様である。次に処理は図８のステップＳ８０２へ進む。
【０１０７】
以上の説明では、第１条件として所定期間内に所定時間長より長い通話が行われ且つ所定期間内に所定量より多いデータ通信が行われたこと、及び第２条件としてユーザ端末３００がフェムトセルの近辺にいること、の両方を満たす場合に電源２４１がオンに切り替えられた。
【０１０８】
別の実施形態では、上記条件第１及び第２条件の一方を満たす場合に電源２４１をオンに切り替えてもよい。
【０１０９】
更に別の実施形態では、通話時間の判断（ステップＳ９０４）、データ通信量の判断（ステップＳ９１６）、及び距離の判断（ステップＳ９０８）のうちの１又は複数が省略されてもよく、又は順序を入れ替えられてもよい。
【０１１０】
更に別の実施形態では、図８に示すステップＳ８１４のような在圏情報の判断が追加されてもよい。
【０１１１】
また、１つのフェムトセル基地局２１０に複数のユーザ端末３００が登録されている場合には、登録された全てのユーザ端末３００について上記方法を繰り返してもよい。
【０１１２】
本願明細書では特定の実施形態が図５Ａ乃至Ｈに示された特定のパラメータ値を用いて説明されたが、例えば通話時間閾値８５０として１時間を用いるように他の値のパラメータを用いてもよい。
【０１１３】
以上に説明したように、フェムトセル基地局２１０の電源状態、ユーザ端末３００のフェムトセル及びマクロセル在圏情報、所定時間内の通話時間及びデータ通信量のようなユーザ端末３００によるフェムトセル基地局２１０の利用状況、ハンドオーバの失敗した位置等に基づき、フェムトセル基地局２１０の電源２４１をオン又はオフに切り替えることにより、フェムトセル基地局２１０の省電力化を実現することができる。
【０１１４】
以上の実施形態に関し、更に以下の付記を開示する。
（付記１）
第１の基地局と前記第１の基地局の配下に含まれ特定ユーザ端末が利用可能な第２の基地局とを有する無線通信システムにおいて、前記第２の基地局及び交換局に接続される基地局制御装置であって、
前記第２の基地局の電源がオンかオフかを示す電源状態を前記第２の基地局から取得する電源状態取得部と、
前記交換局から前記特定ユーザ端末による前記第２の基地局の利用状況を取得する利用状況取得部と、
前記電源状態及び前記利用状況に基づき前記第２の基地局の電源のオン及びオフを制御する制御部と、
を有する基地局制御装置。
（付記２）
前記利用状況が、前記特定ユーザ端末が前記第２の基地局を介して第１の所定期間内に時間閾値以上の通話を行ったこと、前記特定ユーザ端末が前記第２の基地局を介して第２の所定期間内に通信量閾値以上のデータ通信を行ったことの少なくとも一方を示す場合に、前記制御部は前記電源をオンに切り替えるか又はオンのまま維持する、
ことを特徴とする付記１に記載の基地局制御装置。
（付記３）
前記交換局から前記特定ユーザ端末について前記第２の基地局の在圏情報及び前記第１の基地局の在圏情報を取得する在圏情報取得部、
を更に有し、
前記制御部は、前記第２の基地局の在圏情報が前記特定ユーザ端末は前記第２の基地局の圏内にいないと示し、且つ前記第１の基地局の在圏情報が前記特定ユーザ端末は前記第１の基地局の圏内にいないと示す場合に、前記第２の基地局の電源をオフに切り替えるか又はオフのまま維持する、
ことを特徴とする付記１又は２に記載の基地局制御装置。
（付記４）
前記特定ユーザ端末の位置を取得する位置取得部、
を更に有し、
前記制御部は、前記特定ユーザ端末の位置が前記第２の基地局から所定の距離内でない場合に、前記電源をオフに切り替えるか又はオフのまま維持する、
ことを特徴とする付記１乃至３の何れか一項に記載の基地局制御装置。
（付記５）
前記特定ユーザ端末の位置は、前記特定ユーザ端末によりＧＰＳ機能を用いて測定されるか、前記特定ユーザ端末を収容する第１の基地局により測定される、
ことを特徴とする付記４に記載の基地局制御装置。
（付記６）
前記特定ユーザ端末が前記第１の基地局から前記第２の基地局へのハンドオーバに失敗した位置を取得するハンドオーバ履歴取得部、
を更に有し、
前記特定ユーザ端末が前記ハンドオーバに失敗した位置にいる場合には、前記制御部は前記電源をオンに切り替えることを禁止する、
ことを特徴とする付記１乃至５の何れか一項に記載の基地局制御装置。
（付記７）
第１の基地局と前記第１の基地局の配下に含まれ特定ユーザ端末が利用可能な第２の基地局とを有する無線通信システムにおいて、前記第２の基地局の電源のオン及びオフを制御する方法であって、
前記第２の基地局は、基地局制御装置及び交換局に接続され、
前記基地局制御装置は、電源状態取得部と、利用状況取得部と、制御部とを有し、
前記方法は、
前記電源状態取得部が前記第２の基地局の電源がオンかオフかを示す電源状態を前記第２の基地局から取得し、
前記利用状況取得部が前記交換局から前記特定ユーザ端末による前記第２の基地局の利用状況を取得し、
前記制御部が前記電源状態及び前記利用状況に基づき前記第２の基地局の電源のオン及びオフを制御する、
ことを特徴とする方法。
（付記８）
前記利用状況が、前記特定ユーザ端末が前記第２の基地局を介して第１の所定期間内に時間閾値以上の通話を行ったこと、前記特定ユーザ端末が前記第２の基地局を介して第２の所定期間内に通信量閾値以上のデータ通信を行ったことの少なくとも一方を示す場合に、前記制御部は前記電源をオンに切り替えるか又はオンのまま維持する、
ことを特徴とする付記７に記載の方法。
（付記９）
前記交換局から前記特定ユーザ端末について前記第２の基地局の在圏情報及び前記第１の基地局の在圏情報を取得する在圏情報取得部、
を更に有し、
前記制御部は、前記第２の基地局の在圏情報が前記特定ユーザ端末は前記第２の基地局の圏内にいないと示し、且つ前記第１の基地局の在圏情報が前記特定ユーザ端末は前記第１の基地局の圏内にいないと示す場合に、前記第２の基地局の電源をオフに切り替えるか又はオフのまま維持する、
ことを特徴とする付記７又は８に記載の方法。
（付記１０）
前記特定ユーザ端末の位置を取得し、
前記制御部は、前記特定ユーザ端末の位置が前記第２の基地局から所定の距離内でない場合に、前記電源をオフに切り替えるか又はオフのまま維持する、
ことを特徴とする付記７乃至９の何れか一項に記載の方法。
（付記１１）
前記特定ユーザ端末の位置は、前記特定ユーザ端末によりＧＰＳ機能を用いて測定されるか、前記特定ユーザ端末を収容する第１の基地局により測定される、
ことを特徴とする付記１０に記載の方法。
（付記１２）
前記特定ユーザ端末が前記第１の基地局から前記第２の基地局へのハンドオーバに失敗した位置を取得し、
前記特定ユーザ端末が前記ハンドオーバに失敗した位置にいる場合には、前記制御部は前記電源をオンに切り替えることを禁止する、
ことを特徴とする付記７乃至１１の何れか一項に記載の方法。
（付記１３）
第１の基地局と前記第１の基地局の配下に含まれ特定ユーザ端末が利用可能な第２の基地局とを有する無線通信システムにおいて、交換局及び基地局制御装置に接続された前記第２の基地局であって、
前記第２の基地局の電源がオンかオフかを示す電源状態を管理する管理部と、
前記基地局制御装置からの前記電源状態に関する問い合わせを受信する受信部と、
前記問い合わせに応じて前記電源状態を前記基地局制御装置へ送信する送信部と、
を有し、
前記受信部は、前記基地局制御装置が前記電源状態及び前記交換局から取得した前記特定ユーザ端末による前記第２の基地局の利用状況に基づき決定した前記第２の基地局の電源のオン及びオフを制御する命令を受信し、
前記管理部は、前記命令に従って前記電源をオン又はオフに切り替える、
ことを特徴とする基地局。
（付記１４）
前記利用状況が、前記特定ユーザ端末が前記第２の基地局を介して第１の所定期間内に時間閾値以上の通話を行ったこと、前記特定ユーザ端末が前記第２の基地局を介して第２の所定期間内に通信量閾値以上のデータ通信を行ったことの少なくとも一方を示す場合に、前記制御部は前記電源をオンに切り替えるか又はオンのまま維持する、
ことを特徴とする付記１３に記載の基地局。
（付記１５）
前記命令は、前記基地局制御装置が前記交換局から前記特定ユーザ端末について前記第２の基地局の在圏情報及び前記第１の基地局の在圏情報に更に基づき決定され、
前記命令は、前記第２の基地局の在圏情報が前記特定ユーザ端末は前記第２の基地局の圏内にいないと示し、且つ前記第１の基地局の在圏情報が前記特定ユーザ端末は前記第１の基地局の圏内にいないと示す場合に、前記第２の基地局の電源をオフに切り替えるか又はオフのまま維持することを示す、
ことを特徴とする付記１３又は１４に記載の基地局。
（付記１６）
前記命令は、前記基地局制御装置が前記交換局から受信した前記特定ユーザ端末の位置に更に基づき決定され、
前記命令は、前記特定ユーザ端末の位置が前記第２の基地局から所定の距離内でない場合に、前記電源をオフに切り替えるか又はオフのまま維持することを示す、
ことを特徴とする付記１３乃至１５の何れか一項に記載の基地局。
（付記１７）
前記特定ユーザ端末の位置は、前記特定ユーザ端末によりＧＰＳ機能を用いて測定されるか、前記特定ユーザ端末を収容する第１の基地局により測定される、
ことを特徴とする付記１６に記載の基地局。
（付記１８）
前記命令は、前記特定ユーザ端末が前記第１の基地局から前記第２の基地局へのハンドオーバに失敗した位置に更に基づき決定され、
前記命令は、前記特定ユーザ端末が前記ハンドオーバに失敗した位置にいる場合には、前記制御部は前記電源をオンに切り替えることを禁止することを示す、
ことを特徴とする付記１３乃至１７の何れか一項に記載の基地局制御装置。
【符号の説明】
【０１１５】
１００  コア・ネットワーク
１０２  公衆電話交換回線（ＰＳＴＮ）網
１０４  インターネット（ＩＰ）網
１１０  Ｈｏｍｅ  ＮｏｄｅＢゲートウェイ（ＨＮＢＧＷ）、基地局制御装置
１１０ｅ  Ｈｏｍｅ  ｅＮｏｄｅＢゲートウェイ（ＨｅＮＢＧＷ）、基地局制御装置
１１２  電源状態取得部
１１４  在圏情報取得部
１１６  利用状況取得部
１１８  通話時間取得部
１２０  データ通信量取得部
１２２  現状取得部
１２４  ハンドオーバ履歴取得部
１２６  位置取得部
１２８  データベース（ＤＢ）
１３０  制御部
１６０  交換局
１８０  ホーム・ロケーション・レジスタ（ＨＬＲ）
２００  アクセス・ネットワーク（ＲＡＮ）
２１０  Ｈｏｍｅ  ＮｏｄｅＢ（ＨＮＢ）、フェムトセル基地局
２１０ｅ  Ｈｏｍｅ  ｅＮｏｄｅＢ（ＨｅＮＢ）、フェムトセル基地局
２１２  電源管理部
２１４  管理部
２１６  送信部
２１８  受信部
２２０  ＮｏｄｅＢ
２２０ｅ  ｅＮｏｄｅＢ
２３０  無線制御装置（ＲＮＣ）
２４１  電源
２４２  無線（ＲＦ）通信部
２４３  ブロードバンド（ＢＢ）通信部
２４４  アンテナ
２４５  制御部
３００  ユーザ端末（ＵＥ）
４００  マクロセル基地局
５００  ＧＰＳ衛星
【図１】
2012114858.tif 000003
【図２】
2012114858.tif 000004
【図３】
2012114858.tif 000005
【図４】
2012114858.tif 000006
【図５Ａ】
2012114858.tif 000007
【図５Ｂ】
2012114858.tif 000008
【図５Ｃ】
2012114858.tif 000009
【図５Ｄ】
2012114858.tif 000010
【図５Ｅ】
2012114858.tif 000011
【図５Ｆ】
2012114858.tif 000012
【図５Ｇ】
2012114858.tif 000013
【図５Ｈ】
2012114858.tif 000014
【図６】
2012114858.tif 000015
【図７】
2012114858.tif 000016
【図８】
2012114858.tif 000017
【図９】
2012114858.tif 000018